(57)【要約】【課題】  ユーザがプロジェクタをピント合わせ／位置合わせできるようにするフィードバックをユーザに提供するプロジェクタシステムを提供する。【解決手段】  オートフォーカス範囲を有するプロジェクタ４を表示面８に対してどのように移動させる必要があるかを指示する方法において、プロジェクタ４と表示面８との間の距離（ｄ1，ｄ2，ｄc）を測定するステップと、測定された距離（ｄ1，ｄ2，ｄc）及び前記オートフォーカス範囲から、プロジェクタ４を表示面８に対してどのように移動させる必要があるかを決定するステップと、プロジェクタ４を表示面８に対してどのように移動させる必要があるかを指示するフィードバックを提供するステップとを含む。【選択図】        図１
2006119648.tif 000002
【特許請求の範囲】
【請求項１】
オートフォーカス範囲を有するプロジェクタを表示面に対してどのように移動させる必要があるかを指示する方法であって、
前記プロジェクタと前記表示面との間の距離を測定するステップと、
前記測定された距離及び前記オートフォーカス範囲から、前記プロジェクタを前記表示面に対してどのように移動させる必要があるかを決定するステップと、
前記プロジェクタを前記表示面に対してどのように移動させる必要があるかを指示するフィードバックを提供するステップと、
を含むことを特徴とする方法。
【請求項２】
前記測定するステップは、
前記プロジェクタと前記表示面の中心との間の距離を測定するステップと、
前記プロジェクタと前記表示面の少なくとも１つの角部との間の距離を測定するステップと、
をさらに含むことを特徴とする請求項１に記載の方法。
【請求項３】
前記決定するステップは、
適切な画面アスペクト比乃至位置合わせを決定するために、投影角度と、前記プロジェクタと前記表示面の中心との間で測定された距離、及び、前記プロジェクタと前記表示面の少なくとも１つの角部との間の距離との間の関係を求めるステップ、
をさらに含むことを特徴とする請求項２に記載の方法。
【請求項４】
前記決定するステップは、
焦点調整範囲を求めるために、前記プロジェクタと前記表示面の中心との間で測定された距離を利用するステップ、
をさらに含むことを特徴とする請求項２に記載の方法。
【請求項５】
前記フィードバックを提供するステップは、
ユーザにフィードバックを提供するために、複数のＬＥＤを利用するステップ、
をさらに含むことを特徴とする請求項１に記載の方法。
【請求項６】
前記ＬＥＤは、
前記プロジェクタを前記表示面に対して時計回りに適宜位置合わせするために利用される少なくとも１つのＬＥＤ、
をさらに含むことを特徴とする請求項５に記載の方法。
【請求項７】
前記ＬＥＤは、
前記プロジェクタを前記表示面に対して反時計回りに適宜位置合わせするために利用される少なくとも１つのＬＥＤ、
をさらに含むことを特徴とする請求項５に記載の方法。
【請求項８】
前記ＬＥＤは、
前記プロジェクタを前記表示面に対して前進方向に適宜位置合わせするために利用される少なくとも１つのＬＥＤ、
をさらに含むことを特徴とする請求項５に記載の方法。
【請求項９】
前記ＬＥＤは、
前記プロジェクタを前記表示面に対して後退方向に適宜位置合わせするために利用される少なくとも１つのＬＥＤ、
をさらに含むことを特徴とする請求項５に記載の方法。
【請求項１０】
前記ＬＥＤは、
前記プロジェクタが前記表示面に対して適宜位置合わせされたことを前記ユーザに通知するために利用される少なくとも１つのＬＥＤ、
をさらに含むことを特徴とする請求項５に記載の方法。
【請求項１１】
表示面に投影するためのプロジェクタであって、
前記プロジェクタと前記表示面との間の距離がオートフォーカス範囲内にある場合に、前記表示装置上に画像を自動的にピント合わせするように構成されたピント合わせシステムと、
前記プロジェクタと前記表示面との間の距離を測定し続ける測定器と、
前記測定された距離及び前記オートフォーカス範囲から、前記プロジェクタを前記表示面に対してどのように移動させる必要があるかを決定するように構成されたプロセッサと、
前記プロジェクタを前記表示面に対してどのように移動させる必要があるかを指示するフィードバックを提供するように構成されたユーザインタフェースと、
を備えることを特徴とするプロジェクタ。
【請求項１２】
前記ユーザインタフェースは、
ユーザにフィードバックを提供する複数のＬＥＤ、
をさらに備えることを特徴とする請求項１１に記載のプロジェクタ。
【請求項１３】
前記ＬＥＤは、
前記プロジェクタを前記表示面に対して時計回りに適宜位置合わせするために利用される少なくとも１つのＬＥＤ、
をさらに含むことを特徴とする請求項１２に記載のプロジェクタ。
【請求項１４】
前記ＬＥＤは、
前記プロジェクタを前記表示面に対して反時計回りに適宜位置合わせするために利用される少なくとも１つのＬＥＤ、
をさらに含むことを特徴とする請求項１２に記載のプロジェクタ。
【請求項１５】
前記ＬＥＤは、
前記プロジェクタを前記表示面に対して前進方向に適宜位置合わせするために利用される少なくとも１つのＬＥＤ、
をさらに含むことを特徴とする請求項１２に記載のプロジェクタ。
【請求項１６】
前記ＬＥＤは、
前記プロジェクタを前記表示面に対して後退方向に適宜位置合わせするために利用される少なくとも１つのＬＥＤ、
をさらに含むことを特徴とする請求項１２に記載のプロジェクタ。
【請求項１７】
前記ＬＥＤは、
前記プロジェクタが前記表示面に対して適宜位置合わせされたことを前記ユーザに通知するために利用される少なくとも１つのＬＥＤ、
をさらに含むことを特徴とする請求項１２に記載のプロジェクタ。
【請求項１８】
前記ユーザインタフェースは、
ユーザにフィードバックを提供する聴覚インジケータ、
をさらに備えることを特徴とする請求項１１に記載のプロジェクタ。
【請求項１９】
前記ユーザインタフェースは、
ユーザにフィードバックを提供する知覚インジケータ、
をさらに備えることを特徴とする請求項１１に記載のプロジェクタ。
【請求項２０】
表示面に投影するためのシステムであって、
前記プロジェクタと前記表示面との間の距離を測定する手段と、
前記測定された距離及び前記オートフォーカス範囲から、前記プロジェクタを前記表示面に対してどのように移動させる必要があるかを決定する手段と、
前記プロジェクタを前記表示面に対してどのように移動させる必要があるかを指示するフィードバックを提供する手段と、
を備えることを特徴とするシステム。
【請求項２１】
前記測定する手段は、
前記プロジェクタと前記表示面の中心との間の距離を測定する手段と、
前記プロジェクタと前記表示面の少なくとも１つの角部との間の距離を測定する手段と、
をさらに備えることを特徴とする請求項２０に記載のシステム。
【請求項２２】
前記決定する手段は、
適切な画面アスペクト比乃至位置合わせを決定するために、投影角度と、前記プロジェクタと前記表示面の中心との間で測定された距離、及び、前記プロジェクタと前記表示面の少なくとも１つの角部との間の距離との間の関係を求める手段、
をさらに備えることを特徴とする請求項２１に記載のシステム。
【請求項２３】
前記決定する手段は、
焦点調整範囲を求めるために、前記プロジェクタと前記表示面の中心との間で測定された距離を利用する手段、
を備えることを特徴とする請求項２１に記載のシステム。
【請求項２４】
前記フィードバック手段は、
ユーザにフィードバックを提供するために、複数のＬＥＤを利用する手段、
をさらに備えることを特徴とする請求項２０に記載のシステム。
【請求項２５】
前記ＬＥＤは、
前記プロジェクタを前記表示面に対して時計回りに適宜位置合わせするために利用される少なくとも１つのＬＥＤ、
をさらに含むことを特徴とする請求項２４に記載のシステム。
【請求項２６】
前記ＬＥＤは、
前記プロジェクタを前記表示面に対して反時計回りに適宜位置合わせするために利用される少なくとも１つのＬＥＤ、
をさらに含むことを特徴とする請求項２４に記載のシステム。
【請求項２７】
前記ＬＥＤは、
前記プロジェクタを前記表示面に対して前進方向に適宜位置合わせするために利用される少なくとも１つのＬＥＤ、
をさらに含むことを特徴とする請求項２４に記載のシステム。
【請求項２８】
前記ＬＥＤは、
前記プロジェクタを前記表示面に対して後退方向に適宜位置合わせするために利用される少なくとも１つのＬＥＤ、
をさらに含むことを特徴とする請求項２４に記載のシステム。
【請求項２９】
前記ＬＥＤは、
前記プロジェクタが前記表示面に対して適宜位置合わせされたことを前記ユーザに通知するために利用される少なくとも１つのＬＥＤ、
をさらに含むことを特徴とする請求項２４に記載のシステム。
【請求項３０】
コンピュータ可読であり、コンピュータ実行可能であり、オートフォーカス範囲を有するプロジェクタを表示面に対してどのように移動させる必要があるかを指示する方法のステップを実行させるプログラム，アプレット，又は命令を有形に具現化するプログラム記憶システムであって、
前記方法は、
前記プロジェクタと前記表示面の間の距離を測定するステップと、
前記測定された距離及び前記オートフォーカス範囲から、前記表示面に対して前記プロジェクタをどのように移動させる必要があるかを決定するステップと、
前記表示面に対して前記プロジェクタをどのように移動させる必要があるかを指示するフィードバックを提供するステップと、
を含むことを特徴とするプログラム記憶システム。
【請求項３１】
前記測定するステップは、
前記プロジェクタと前記表示面の中心との間の距離を測定するステップと、
前記プロジェクタと前記表示面の少なくとも１つの角部との間の距離を測定するステップと、
をさらに含むことを特徴とする請求項３０に記載のプログラム記憶システム。
【請求項３２】
前記決定するステップは、
適切な画面アスペクト比乃至位置合わせを決定する関係を求めるために、投影角度と、前記プロジェクタと前記表示面の中心との間で測定された距離、及び、前記プロジェクタと前記表示面の少なくとも１つの角部との間の距離の間の関係を求めるステップ、
をさらに含むことを特徴とする請求項３１に記載のプログラム記憶システム。
【請求項３３】
前記決定するステップは、
焦点調整範囲を求めるために、前記プロジェクタと前記表示面の中心との間で測定された距離を利用するステップ、
をさらに含むことを特徴とする請求項３１に記載のプログラム記憶システム。
【請求項３４】
前記フィードバックを提供するステップは、
ユーザにフィードバックを提供するために、複数のＬＥＤを利用するステップ、
をさらに含むことを特徴とする請求項３０に記載のプログラム記憶システム。
【請求項３５】
前記ＬＥＤは、
前記プロジェクタを前記表示面に対して時計回りに適宜位置合わせするために利用される少なくとも１つのＬＥＤ、
をさらに含むことを特徴とする請求項３０に記載のプログラム記憶システム。
【請求項３６】
前記ＬＥＤは、
前記プロジェクタを前記表示面に対して反時計回りに適宜位置合わせするために利用される少なくとも１つのＬＥＤ、
をさらに含むことを特徴とする請求項３０に記載のプログラム記憶システム。
【請求項３７】
前記ＬＥＤは、
前記プロジェクタを前記表示面に対して前進方向に適宜位置合わせするために利用される少なくとも１つのＬＥＤ、
をさらに含むことを特徴とする請求項３４に記載のプログラム記憶システム。
【請求項３８】
前記ＬＥＤは、
前記プロジェクタを前記表示面に対して後退方向に適宜位置合わせするために利用される少なくとも１つのＬＥＤ、
をさらに含むことを特徴とする請求項３４に記載のプログラム記憶システム。
【請求項３９】
前記ＬＥＤは、
前記プロジェクタが前記表示面に対して適宜位置合わせされることを前記ユーザに通知するために利用される少なくとも１つのＬＥＤ、
をさらに含むことを特徴とする請求項３４に記載のプログラム記憶システム。
【発明の詳細な説明】
【技術分野】
【０００１】
本発明は、オートフォーカス範囲（オートフォーカスレンジ；auto-focusing range）を有するプロジェクタを表示面に対してどのように移動させる必要があるかを指示する方法に関し、この方法は、プロジェクタと表示面との間の距離を測定するステップと、測定された距離及びオートフォーカス範囲から、表示面に対してプロジェクタをどのように移動させる必要があるかを決定するステップと、表示面に対してプロジェクタをどのように移動させる必要があるかを指示するフィードバックを提供するステップと、を含む。
【背景技術】
【０００２】
概略的に上述し、より詳細に後述する本発明に先立ち、プロジェクタの技術では、プロジェクタを自動的にピント合わせ（焦点合わせ）するプロジェクタシステムを採用することが既知である。現在のプロジェクタにはオートフォーカスシステムが設計されているが、ユーザは試行錯誤により、プロジェクタの光学系／ピント合わせシステム（プロジェクタの光学系乃至ピント合わせシステム）の許容距離範囲内にプロジェクタを配置しなければならない。また、ユーザは、表示面に対する画像の回転について自身の視覚的なフィードバックを用いて、矩形の適切な画像にしなければならない。明らかなことに、こういったオートフォーカスシステムはあまりうまくいっておらず、ユーザがプロジェクタをピント合わせ／位置合わせ（ピント合わせ乃至位置合わせ）できるようにするフィードバックをユーザに提供しない。したがって、ユーザがプロジェクタをピント合わせ／位置合わせできるようにするフィードバックをプロジェクタがユーザに提供すれば、より便利なシステムが提供されることになる。
【発明の開示】
【発明が解決しようとする課題】
【０００３】
上記から、プロジェクタの技術において、ユーザがプロジェクタをピント合わせ／位置合わせできるようにするフィードバックをユーザに提供するプロジェクタシステムが必要とされていることは明らかである。本発明の目的は、以下の開示が与えられれば当業者にはより明らかとなる方法で、上記必要及び当該技術分野の他の必要に応えることである。
【課題を解決するための手段】
【０００４】
概して、本発明の一実施形態は、オートフォーカス範囲を有するプロジェクタを表示面に対してどのように移動させる必要があるかを指示する方法を提供することによって上記の必要に応えるものであり、本方法はプロジェクタと表示面との間の距離を測定するステップと、測定された距離及びオートフォーカス範囲から、プロジェクタを表示面に対してどのように移動させる必要があるかを決定するステップと、プロジェクタを表示面に対してどのように移動させる必要があるかを指示するフィードバックを提供するステップと、を含む。
【０００５】
特定の好ましい実施形態では、フィードバックは、様々なＬＥＤ（発光ダイオード）パターンを利用して、ユーザにプロジェクタの画面アスペクト比／位置合わせ（画面アスペクト比乃至位置合わせ）を手動で変更するように促すことから成る。
【０００６】
別のさらなる好ましい実施形態では、プロジェクタシステムは、１度でプロジェクタを素早く位置合わせし、全体的な光学系／ピント合わせシステム範囲要件を減らすために使用することができる使用し易いユーザインタフェースを提供する。
【０００７】
本発明の各種実施形態による好ましいプロジェクタ位置合わせシステムは、以下の利点を提供する。すなわち、その利点は、使用し易いこと、優れたプロジェクタ位置合わせ特徴、優れたプロジェクタ範囲決定特徴、良耐久性、及び良経済性である。実際に、好ましい実施形態の多くでは、使用し易いこと、優れたプロジェクタ位置合わせ特徴、及び優れたプロジェクタ範囲決定特徴といった要因は、従来技術による既知のプロジェクタ位置合わせシステムにおいてこれまで実現されていたものよりも可成り高い程度まで最適化される。
【０００８】
説明が進むにつれてより明らかになる本発明の上記及び他の特徴は、同様の符号が何枚かの図全体を通して同様の部分を表す添付図面と併せて以下の詳細な説明を考察することで最もよく理解されるであろう。
【発明を実施するための最良の形態】
【０００９】
上で考察したように、モバイルプロジェクションシステムを多くの環境で使用するには、ユーザが試行錯誤により、プロジェクタの範囲内でピント（焦点）が合うような表示面からの適切な距離並びにプロジェクタが表示面に対して確実に平行になるような回転の向きを決定する必要がある。ユーザが表示面からの最適な距離並びに回転を素早く見つけるのを助けるために、本発明は、ユーザが迅速かつ正確に位置合わせできるようにガイドするビジュアルインタフェースを提供する。
【００１０】
まず、図１を参照して、本発明の概念を用いる好ましい一実施形態を示す。図１はプロジェクタ位置合わせ装置２を示す。このプロジェクタ位置合わせ装置２は、部分的に、プロジェクタ４，マイクロプロセッサ５，プロジェクタレンズ６，画像（イメージ）７，及び従来の表示面８を備える。プロジェクタ４は、画像７をプロジェクタレンズ６から表示面８に向けて投影する。ユーザによる適切な距離及び回転の決定をガイドするために必要な情報は、すべて、プロジェクタ４を起点とした２つの距離測定値、すなわち、表示面８の中心（Ｃ）までの距離（ｄc）、及び左上角部（Ａ）までの距離（ｄ1）又は右下角部（Ｂ）までの距離（ｄ2）のいずれかを用いて得ることができることを理解されたい。受動的及び能動的な距離測定技法のいずれを採用してもよいことをさらに理解されたい。ｄ1（又はｄ2）及びｄcが分かると、マイクロプロセッサ５を利用して、適切な表示面位置合わせ及びシステム性能内の距離制限を確保するためにどのような移動を行う必要があるかを決定する。
【００１１】
投影角度（ｆ）が光学系の設計及び投影設定によって設定される。この角度値を利用してｄc／ｄ1比を比較し、プロジェクタ画像７が左又は右に歪んでいるか否かを判断する。投影角度（ｆ）と２つの距離との間の関係は以下の式（１）によって与えられる。
式（１）：  ｄc／ｄ1＝Ｃｏｓ ｆ
【００１２】
測定された比が所与の値のｄc／ｄ1の期待値未満の場合には、ユーザインタフェースは、プロジェクタ４を時計回りに回転させるようにユーザに指示する。反対に、この比が期待値を上回る場合には、ユーザインタフェースは、プロジェクタ４を反時計回りに回転させるようにユーザに指示する。これは、視認だけに頼るのではなく、適切な表示面アスペクト比／位置合わせを決定する非常に正確なシステムを提供する。意図する投影画像の中心からの距離がプロジェクタ４の光学系のオートフォーカス調整範囲内にある場合には距離（ｄc）だけが利用されることを理解されたい。距離計算が行われると、ユーザインタフェースは、即座に、プロジェクタ４の位置及び向きをどのように調整するかについてのガイダンスをユーザに提供することをさらに理解されたい。
【００１３】
ユーザインタフェースに関しては、ＬＥＤ（発光ダイオード）で照らされる一連のグラフィックスにより、表示面８からの適切な距離及びプロジェクタ４の回転を決定するに当たってユーザをガイドする。好ましくは、ＬＥＤはプロジェクタ４に配置してもよく、及び／又は表示面８上の画像の一部として投影してもよい。さらに考察するように、回転位置合わせは、回転させる方向（図２〜図５）及びプロジェクタ４を表示面８に向けて移動或いはこれから離れるように移動させる程度（図６〜図９）を示す一連のＬＥＤで指示される。実際のＬＥＤの向きは、マルチカラーＬＥＤを含め、多くの方法で実現可能であることを理解されたい。また、各種の視覚インジケータ，聴覚インジケータ，知覚（感覚）インジケータ，又は視覚，聴覚，及び知覚の各インジケータの組み合わせを採用しても同じ目標を達成することができる。
【００１４】
図２を参照して、ＬＥＤディスプレイ２０を示す。ＬＥＤディスプレイ２０は、部分的に、時計回り回転インジケータ２２，２３、反時計回り回転インジケータ２４、表示面８への前進移動インジケータ２６，表示面８からの後退移動インジケータ２８，及び許容可能位置合わせインジケータ３０を含む。図２に示すように、時計回り回転インジケータ２２のＬＥＤ２３は、表示面８上の画像７を適宜位置合わせするには、プロジェクタ４を表示画８に対して時計回りの方向に回転させなければならないことをユーザに通知するために照明される。
【００１５】
図３において見て取れるように、より少数のＬＥＤ２３が照明されている。ユーザがプロジェクタ４を、表示面８に対する画像７の理想の向きに向けて時計回りに回転するにつれて、時計回り回転インジケータ２２内で照明されるＬＥＤ２３の数は少なくなる。時計周り回転インジケータ２２内のすべてのＬＥＤ２３の照明が消えると、プロジェクタ４が表示面８に対して時計回りの回転で適宜位置合わせされたことをユーザに対して保証することができる。
【００１６】
図４に示すように、反時計回り回転インジケータ２４のＬＥＤ２５は、表示面８上の画像７を適宜位置合わせするには、プロジェクタ４を表示面８に対して反時計回り方向に回転させなければならないことをユーザに通知するために照明される。
【００１７】
図５に示すように、より少数のＬＥＤ２５が照明されている。図３に関して上で考察したように、ユーザがプロジェクタ４を、表示面８に対する画像７の理想の向きに向けて反時計回りに回転するにつれて、反時計回り回転インジケータ２４内で照明されるＬＥＤ２５の数は少なくなる。反時計周り回転インジケータ２４内のすべてのＬＥＤ２５の照明が消えると、プロジェクタ４が表示面８に対して反時計回りの回転で適宜位置合わせされたことをユーザに対して保証することができる。
【００１８】
図６に示すように、表示面８に対するプロジェクタ４の範囲を適宜決定する際にユーザを助けるために距離インジケータ２６及び２８（図８及び図９）が使用される。図６において見て取れるように、前進距離インジケータ２６はＬＥＤ２７を含む。前進移動インジケータ２６のＬＥＤ２７は、表示面８上の画像７を適宜ピント合わせするには、プロジェクタ４を表示面８に対して前進させなければならないことをユーザに通知するために照明される。
【００１９】
図７に示すように、より少数のＬＥＤ２７が照明されている。図３に関して上で考察したように、ユーザがプロジェクタ４を表示面８に向けて移動させるにつれ、前進移動インジケータ２６内で照明されるＬＥＤ２７の数は少なくなる。前進移動インジケータ２６内のすべてのＬＥＤ２７の照明が消えると、プロジェクタ４が表示面８に対して前進方向において適宜移動したことをユーザに対して保証することができる。
【００２０】
図８を参照すると、後退距離インジケータ２８はＬＥＤ２９を備える。後退移動インジケータ２８のＬＥＤ２９は、表示面８上の画像７を適宜ピント合わせするには、プロジェクタ４を表示面８に対して後退させなければならないことをユーザに通知するために照明される。
【００２１】
図９に示すように、より少数のＬＥＤ２９が照明されている。図６に関して上で考察したように、ユーザがプロジェクタ４を表示面８から離れるように移動させるにつれ、後退移動インジケータ２８内で照明されるＬＥＤ２９の数は少なくなる。後退移動インジケータ２８内のすべてのＬＥＤ２９の照明が消えると、プロジェクタ４が表示面８に対して後退方向において適宜移動したことをユーザに対して保証することができる。
【００２２】
図１０に示すように、プロジェクタ４が表示面８に対して時計回り方向及び反時計回り方向において適宜位置合わせされ、かつ画像７を（プロジェクタ４と表示面８との間の前進距離及び後退距離に関して）適宜ピント合わせすると、ＬＥＤ３０が照明される。このようにして、プロジェクタ４が表示面８に対して適宜位置合わせされ、かつ画像が表示面８上で適宜ピント合わせされていることをユーザに対して保証することができる。
【００２３】
図１１において、別のＬＥＤディスプレイ５０を示す。ＬＥＤディスプレイ５０は、部分的に、時計回り回転インジケータ５２，反時計回り回転インジケータ５４，表示面８への前進移動インジケータ５６，表示面８からの後退移動インジケータ５８を含む。ＬＥＤディスプレイ５０の動作中、時計回り回転インジケータ５２等の単色ＬＥＤインジケータが選択される。その後、ユーザは、プロジェクタ４を表示面８に対して時計回りに回転させ、時計回り回転インジケータ５２は、プロジェクタ４が時計回り方向に適宜回転されるまで照明されたままである。その後、反時計回り回転インジケータ５４が選択され、プロジェクタ４は、反時計回り回転インジケータ５４の照明が消えるまで表示面８に対して反時計回り方向に回転される。その後、前進移動表示インジケータ５６が選択され、プロジェクタ４は、前進移動表示インジケータ５６の照明が消えるまで表示面８に対して前進方向に移動させられる。最後に、後退移動表示インジケータ５８が選択され、プロジェクタ４は、後退移動表示インジケータ５８の照明が消えるまで表示面８から離れるように移動させられる。
【００２４】
また、本発明は、コンピュータ／プロセッサベースのシステム，プロセッサ内蔵システム，又は命令実行システム，装置，又はデバイスから命令をフェッチし、そこに含まれている命令を実行する他のシステム等，命令実行システム，装置，又はデバイスにより使用される、又は併用される任意のコンピュータ可読媒体において具現化することができる。本開示の文脈においては、「コンピュータ可読媒体」は、命令実行システム，装置，又はデバイスにより使用される、又は併用されるプログラムの記憶，通信，伝搬，又は搬送を行うことができる任意の手段であることができる。コンピュータ可読媒体は、多くの物理的な媒体、例えば電子媒体，磁気媒体，光学媒体，電磁媒体，赤外線媒体，又は半導体媒体等のいずれか１つを含むことができる。適したコンピュータ可読媒体のより具体的な例としては、フロッピー（登録商標）ディスクやハードドライブ等のポータブル磁気コンピュータディスク，ランダムアクセスメモリ（ＲＡＭ），読み取り専用メモリ（ＲＯＭ），消去可能プログラマブル読み取り専用メモリ，又はポータブルコンパクトディスクが挙げられるが、これらに限定されるものではない。コンピュータ可読媒体は、プログラムが印字された用紙又は別の適した媒体であってもよいことを理解されたい。なぜなら、例えば、用紙又は他の媒体を光学的に走査することでそのプログラムを電気的に取り込み、その後、必要であればシングルステップでコンパイル，解釈，又は別様の処理を行ってからコンピュータメモリに記憶することができるからである。
【００２５】
本発明の各種実施形態はハードウェア，ソフトウェア，ファームウェア，又はこれらの組み合わせで実施することができることを当業者は理解しよう。本発明の別個の実施形態は、ハードウェアと、メモリに記憶されて適した命令実行システムによって実行されるソフトウェア又はファームウェアとの組み合わせを使用して実施することができる。代替の実施形態でのようにハードウェアのみで実施される場合、本発明は、当分野において既知の任意の技術（例えば、離散論理回路，特定用途向け集積回路（ＡＳＩＣ），プログラマブルゲートアレイ（ＰＧＡ），フィールドプログラマブルゲートアレイ（ＦＰＧＡ），及び／又は他の後に開発される技術）のいずれか又は組み合わせを利用して別個に実施することができる。好ましい実施形態では、本発明はコンピューティング装置の制御下で実行・記憶されるソフトウェア及びデータの組み合わせで実施することができる。
【００２６】
本発明の教示に精通した後、ソフトウェアアプリケーションを現在既知又は後に開発される複数のプログラミング言語で書くことができることが当業者により理解されよう。
【００２７】
以上を要約すると、次の通りである。すなわち、本発明の方法は、オートフォーカス範囲を有するプロジェクタ４を表示面８に対してどのように移動させる必要があるかを指示する方法であって、プロジェクタ４と表示面８との間の距離（ｄ1，ｄ2，ｄc）を測定するステップと、測定された距離（ｄ1，ｄ2，ｄc）及び前記オートフォーカス範囲から、プロジェクタ４を表示面８に対してどのように移動させる必要があるかを決定するステップと、プロジェクタ４を表示面８に対してどのように移動させる必要があるかを指示するフィードバックを提供するステップとを含む。
【００２８】
上記開示が与えられた後では、多くの他の特徴，変更，又は改良が当業者に明らかになろう。したがって、係る特徴，変更，又は改良は、本発明の一部とみなされるべきであり、本発明の範囲は添付の特許請求の範囲によって決定されるべきである。
【図面の簡単な説明】
【００２９】
【図１】本発明の一実施形態によるプロジェクタ位置合わせ方法及びユーザインタフェースを示す概略図である。
【図２】本発明の別の実施形態による、ユーザが時計回りの位置合わせを行うのをガイドするビジュアルインタフェースを示す概略図である。
【図３】本発明の別の実施形態による、ユーザが時計回りの位置合わせをさらに行うのをガイドするビジュアル（視覚）インタフェースを示す概略図である。
【図４】本発明の別の実施形態による、ユーザが反時計回りの位置合わせを行うのをガイドするビジュアルインタフェースを示す概略図である。
【図５】本発明の別の実施形態による、ユーザが反時計回りの位置合わせをさらに行うのをガイドするビジュアルインタフェースを示す概略図である。
【図６】本発明の別の実施形態による、ユーザが前進方向への位置合わせを行うのをガイドするビジュアルインタフェースを示す概略図である。
【図７】本発明の別の実施形態による、ユーザが前進方向への位置合わせをさらに行うのをガイドするビジュアルインタフェースを示す概略図である。
【図８】本発明の別の実施形態による、ユーザが後退方向への位置合わせを行うのをガイドするビジュアルインタフェースを示す概略図である。
【図９】本発明の別の実施形態による、ユーザが後退方向への位置合わせをさらに行うのをガイドするビジュアルインタフェースを示す概略図である。
【図１０】本発明の別の実施形態による、位置合わせが完了したことをユーザに通知するビジュアルインタフェースを示す概略図である。
【図１１】本発明の別の実施形態による、位置合わせをユーザにガイドする別のビジュアルインタフェースを示す概略図である。
【符号の説明】
【００３０】
２  プロジェクタ位置合わせ装置
４  プロジェクタ
８  表示面
２０  ＬＥＤディスプレイ
２２  時計回り回転インジケータ
２３  ＬＥＤ
２４  反時計回り回転インジケータ
２５  ＬＥＤ
２６  前進移動インジケータ
２７  ＬＥＤ
２８  後退移動インジケータ
２９  ＬＥＤ
３０  許容可能位置合わせインジケータ
Ａ  左上角部
Ｂ  右上角部
Ｃ  中心
ｄ1，ｄ2，ｄc  距離
【図１】
2006119648.tif 000003
【図２】
2006119648.tif 000004
【図３】
2006119648.tif 000005
【図４】
2006119648.tif 000006
【図５】
2006119648.tif 000007
【図６】
2006119648.tif 000008
【図７】
2006119648.tif 000009
【図８】
2006119648.tif 000010
【図９】
2006119648.tif 000011
【図１０】
2006119648.tif 000012
【図１１】
2006119648.tif 000013